(57)【要約】【課題】放熱器から放出された熱が制御基板に与える影響を極力低減したファンコンベクタを提供する。【解決手段】本体に背面上部に吸込口を、前面下部に吹出口を設け、吸込口と吹出口とを結ぶ空気通路に放熱器と送風ファンとを設けるとともに、本体内の前面側に放熱器からの熱の伝導を防止する遮熱板を設けたファンコンベクタにおいて、本体内の一側に設けられた収容部１１に、前記遮熱板と平行となるように制御基板１３を設ける一方、同制御基板１３の背面側に前記放熱器からの熱が制御基板１３へ伝導されることを防止する断面逆Ｌ字状に形成された遮蔽板１２を設け、また、制御基板からの配線群を前面側へ導出することにより、放熱器９からの制御基板１３への熱の影響を防止する。【選択図】　図３
2004084969.tif 000002
【特許請求の範囲】
【請求項１】
本体の一側に背面を開口した収容部を設け、前記本体の他側背面上部に吸込口を、前面下部に吹出口を夫々設け、前記吸込口と前記吹出口とを結ぶ空気通路に、温水が流動する放熱器と、同放熱器で加熱された空気を温風として前記吹出口から送出させる送風ファンとを設ける一方、これらの前面に、前記放熱器からの熱が本体前面に伝導することを防止する本体前面と平行した遮熱板を設け、前記収容部に、操作パネル及び前記送風ファンを駆動するファンモータ等と配線群にて接続された制御基板を設けてなるファンコンベクタにおいて、
前記収容部に、前記制御基板を前記遮熱板と平行となるように設けるとともに、同制御基板の背面側に、前記放熱器から放出された熱の同制御基板への伝導を防止する遮蔽板を設けてなることを特徴とするファンコンベクタ。
【請求項２】
前記遮蔽板が、前記制御基板の上面側と背面側とを覆うように断面逆Ｌ字状に形成されてなることを特徴とする請求項１に記載のファンコンベクタ。
【請求項３】
前記制御基板が前傾して配置される一方、前記制御基板に接続された配線群が、同制御基板の前面側に導出されるようにしたことを特徴とする請求項１に記載のファンコンベクタ。
【発明の詳細な説明】
【０００１】
【発明の属する技術分野】
本発明は、温水が循環する放熱器により吸込まれた空気を熱交換して室内に送出するファンコンベクタに関わり、より詳細には、同ファンコンベクタ内に設けられた制御基板の遮熱構造に関する。
【０００２】
【従来の技術】
従来のファンコンベクタも本願によるファンコンベクタと基本的な構造は同等であるので、概略構造については図１を用いて説明する。同図で示すように、ファンコンベクタはリアパネル１とフロントパネル２と、これらの基部に設けられたベース４及び同ベース４の前面に装着されるフロントベース４ａとで本体を構成し、同本体の背面上部に吸込口５を設け、前面下部に上下風向偏向板７ａと左右風向偏向板７ｂとを備えた吹出口６を設けている。
【０００３】
前記吸込口５と前記吹出口６とを結ぶ空気通路には、室外に設置された温水ボイラから温水を供給され、前記吸込口５から吸込まれた空気と熱交換を行う放熱器９と、同放熱器９で熱交換された空気を室内に送出する送風ファン１０とが設けられ、また本体内の前面側には、前記フロントパネル２の表面が高温となることを防止する遮熱板３が設けられている。
【０００４】
操作パネル等と配線群により接続された制御基板１１は、図４で示すように、本体の左側に設けられた収容部に、本体の側面壁と平行となるように配置され、、前記送風ファン１０を駆動するファンモータ及び前記左右風向偏向板７ｂ等の制御を行うようになっている。
【０００５】
しかしながら、前記制御基板１１から導出されている配線群は、図４で示すように、前記放熱器９の近傍を通るように設けられているため、同放熱器９から放出されている熱の影響を受け、前記制御基板１１が誤動作を起こしたり、あるいは断線が発生する恐れがあった。
【０００６】
【発明が解決しようとする課題】
本発明は上記問題点に鑑み、本体内に設けられた制御基板及び同制御基板から導出された配線群が、放熱器から放出される熱の影響を受けないようにして安全性を向上させたファンコンベクタを提供することを目的とする。
【０００７】
【課題を解決するための手段】
本発明は上記課題を解決するため、本体の一側に背面を開口した収容部を設け、前記本体の他側背面上部に吸込口を、前面下部に吹出口を夫々設け、前記吸込口と前記吹出口とを結ぶ空気通路に、温水が流動する放熱器と、同放熱器で加熱された空気を温風として前記吹出口から送出させる送風ファンとを設ける一方、これらの前面に、前記放熱器からの熱が本体前面に伝導することを防止する本体前面と平行した遮熱板を設け、前記収容部に、操作パネル及び前記送風ファンを駆動するファンモータ等と配線群にて接続された制御基板を設けてなるファンコンベクタにおいて、
前記収容部に、前記制御基板を前記遮熱板と平行となるように設けるとともに、同制御基板の背面側に、前記放熱器から放出された熱の同制御基板への伝導を防止する遮蔽板を設けてなることを特徴とするファンコンベクタ。
構成となっている。
【０００８】
また、前記遮蔽板が、前記制御基板の上面側と背面側とを覆うように断面逆Ｌ字状に形成されてなる構成となっている。
【０００９】
また、前記制御基板が前傾して配置される一方、前記制御基板に接続された配線群が、同制御基板の前面側に導出されるようにした構成となっている。
【００１０】
【発明の実施の形態】
以下、本発明の実施の形態を、添付図面に基づいた実施例として詳細に説明する。
図１は本発明によるファンコンベクタを示す断面図であり、図２は同ファンコンベクタの構成を示す分解斜視図である。また、図３は要部斜視図である。
本発明によるファンコンベクタは、図１及び図２で示すように、前面が開放されたリアパネル１と、同リアパネル１に装着される後面が開放されたフロントパネル２と、これらの基部に設けられるベース４及び同ベース４の前面に装着されるフロントベース４ａとで本体を構成している。同本体の背面上部には上下に並設された桟により吸込口５が形成され、前面下部には、上下に複数配設された上下風向偏向板７ａと、その後方に左右方向に複数配設された左右風向偏向板７ｂとを備えた吹出口６が形成されている。また前記吸込口５の裏面には、吸込まれた空気中に含有される塵埃を吸着するフィルター８が枠体８ａに張設されて装着されている。
【００１１】
前記本体内の一側には、背面側を開口した収容部１１が他側側と区画されるように設けられ、他側側となる前記吸込口５と前記吹出口６とを結ぶ空気通路には、前記吸込口５に臨むように、並設された多数のフィンと、同フィンに直交するように、蛇行状に配設された伝熱管とからなり、室外に設置された温水ボイラと配線接続された放熱器９が前記吸込口５と平行となるように前傾して設けられている。また、その下流側には、ファンモータ１０ａにより駆動され前記放熱器９で加熱された空気を温風として室内に送出する送風ファン１０が設けられている。また、これらの前面には前記放熱器９から放出された熱が前記フロントパネル２へ伝わることを防止する遮熱板３が前記フロントパネル２と平行となるように設けられている。
【００１２】
室外に設置された温水ボイラから前記放熱器９に温水が供給され、前記伝熱管内を流動するようになると、前記吸込口５より吸込まれた空気が前記フィンを通過する間に加熱され、加熱された空気は前記送風ファン１０により前記吹出口６から上下方向あるいは左右方向に偏向されて室内に送出されるようになっている。
【００１３】
前記収容部１１には、多数の配線群を前面側に導出した制御基板１２が前記遮熱板３と略平行となるように前方に傾斜して設けられており、また、同制御基板１２の背面には、断面逆Ｌ字状に形成され、前記放熱器９から放出された熱が前記制御基板１２へ伝わることを防止するとともに、塵埃等が前記制御基板１２の近辺へ侵入することを防止する遮蔽板１１が設けられている。同制御基板１２が前記遮熱板３と平行となるように設けられていることにより、図３で示すように、これから前面側に導出された配線群が、前記放熱器９の近傍を通過しないように配線整理を行うことができ、また、配線が同放熱器９に接触してしまうというような不具合を防止できるようになっている。
【００１４】
上記したような構成により、前記放熱器９から放出された熱が、前記制御基板１２側へ伝わり、同制御基板１２に備えられた多数の部品群が所定の温度規格値を越えるというような不具合を防止することができるようになっている。
【００１５】
【発明の効果】
以上説明したように、本発明によると、本体に背面上部に吸込口を、前面下部に吹出口を設け、吸込口と吹出口とを結ぶ空気通路に放熱器と送風ファンとを設けるとともに、本体内の前面側に放熱器からの熱の伝導を防止する遮熱板を設け、また本体内の一側に設けられた収容部に、前記遮熱板と平行となるように制御基板を設ける一方、同制御基板の背面側に前記放熱器からの熱が制御基板へ伝導されることを防止する遮蔽板を設け、制御基板からの配線群を前面側へ導出することにより、放熱器からの制御基板への熱の影響を極力防止することのできるファンコンベクタとすることができる。
【図面の簡単な説明】
【図１】本発明によるファンコンベクタを示す断面図である。
【図２】本発明によるファンコンベクタを示す分解斜視図である。
【図３】本発明によるファンコンベクタを示す要部斜視図である。
【図４】従来例によるファンコンベクタを示す要部斜視図である。
【符号の説明】
１　リアパネル
２　フロントパネル
３　遮熱板
４ａ　フロントベース
４ｂ　ベース
５　吸込口
６　吹出口
７ａ　上下風向偏向板
７ｂ　左右風向偏向板
８　フィルター
８ａ　枠体
９　放熱器
１０　送風ファン
１０ａ　ファンモータ
１１　収容部
１２　遮蔽板
１３　制御基板
【図１】
2004084969.tif 000003
【図２】
2004084969.tif 000004
【図３】
2004084969.tif 000005
【図４】
2004084969.tif 000006